(57)【特許請求の範囲】
【請求項１】
プラグコネクタとの嵌合連結が行われる所定の方向に伸びる嵌合係合部を形成するものとされて、配線基板上に配される絶縁ハウジングと、
上記所定の方向に沿って配列配置されて上記絶縁ハウジングにより保持され、上記配線基板に設けられた複数のシグナル端子部に夫々接続されたもとで、各々が上記嵌合係合部に配される接触部を有し、該接触部が上記プラグコネクタに配されたプラグ側シグナルコンタクトに接触するものとされる複数のシグナルコンタクトと、
該複数のシグナルコンタクトの配列中に配されて上記絶縁ハウジングにより保持され、上記配線基板に設けられたグラウンド端子部に接続される少なくとも一つのグラウンドコンタクトと、
上記絶縁ハウジングにおける上記嵌合係合部の周囲部分の外面を部分的に覆い、上記配線基板における上記グラウンド端子部を含むグラウンド電位部に接続される導電性シェルと、
を備えて成り、
上記導電性シェルが、上記所定の方向の両端部間において上記配線基板に向かって突出するものとして形成され、上記グラウンドコンタクトと共に上記配線基板に設けられたグラウンド端子部に半田付けによって接続されるグラウンド接続片部を有し、該グラウンド接続片部が、先端部分が二股に分かれたものとされていて、該先端部分をもってグラウンドコンタクトに係合することを特徴とするコネクタ装置。
【請求項２】
上記グラウンドコンタクトが、上記複数のシグナルコンタクトの配列の中央部分に配され、上記グラウンド接続片部が、上記導電性シェルにおける上記所定の方向の両端部間の中央部分に形成されることを特徴とする請求項１記載のコネクタ装置。
【請求項３】
上記グラウンドコンタクトが、上記複数のシグナルコンタクトの配列中に所定の間隔をおいて複数個配され、上記グラウンド接続片部が、上記導電性シェルにおける上記所定の方向の両端部間において所定の間隔をおいて複数個形成されることを特徴とする請求項１記載のコネクタ装置。
【請求項４】
上記グラウンド接続片部が、先端面を上記配線基板に設けられたグラウンド端子部に当接または近接させて、該グラウンド端子部に接続されることを特徴とする請求項１記載のコネクタ装置。
【発明の詳細な説明】
【技術分野】
【０００１】
本願の特許請求の範囲に記載された発明は、ソリッド配線基板等の配線基板に装着され、複数の同軸ケーブルが接続されたプラグコネクタが嵌合連結されるリセプタクルコネクタとして用いられるコネクタ装置に関する。
【背景技術】
【０００２】
複数の比較的細い同軸ケーブルを、各種の電気部品が取り付けられる配線基板に連結するにあたっては、複数の同軸ケーブルが接続されるプラグコネクタと、配線基板に装着されてその配線基板との電気的接続がなされ、複数の同軸ケーブルが接続されたプラグコネクタが嵌合連結されるリセプタクルコネクタと、が用いられることが多い。
【０００３】
このような場合、リセプタクルコネクタは、例えば、プラグコネクタのプラグ側絶縁ハウジングにその長手方向に伸びるものとして設けられた嵌合凸部が挿入される嵌合凹部を形成するものとして、配線基板上に配される絶縁ハウジングを備える。絶縁ハウジングが形成する嵌合凹部は、絶縁ハウジングの長手方向に伸びるものとされる。そして、その絶縁ハウジンングに、配線基板に設けられた複数のシグナル端子部に夫々接続される複数のシグナルコンタクトが、嵌合凹部に沿って配列配置されて設けられる。斯かるリセプタクルコネクタは、多くの場合、絶縁ハウジングにおける嵌合凹部の周囲部分の外面を部分的に覆い、配線基板におけるグラウンド接続部に接続されてグラウンド電位が与えられるものとされる、導電性シェルを備える。
【０００４】
そして、複数の同軸ケーブルが接続されたプラグコネクタの絶縁ハウジングに設けられた嵌合凸部が、リセプタクルコネクタの絶縁ハウジングが形成する嵌合凹部に挿入されて、リセプタクルコネクタがプラグコネクタとの嵌合連結状態におかれる時、複数のシグナルコンタクトが、複数の同軸ケーブルの夫々のシグナル導体（中心導体）が接続されたプラグコネクタの複数のプラグ側シグナルコンタクトに夫々接触接続され、また、グラウンドコンタクトが、複数の同軸ケーブルの夫々のグラウンド導体（外側導体）に、例えば、導電性シェルさらにはプラグコネクタのプラグ側導電性シェルを介して接続される。それにより、プラグコネクタに接続された複数の同軸ケーブルの夫々におけるシグナル導体が、リセプタクルコネクタが装着された配線基板に設けられたシグナル端子部に、プラグコネクタ及びリセプタクルコネクタを介して接続され、また、プラグコネクタに接続された複数の同軸ケーブルの夫々におけるグラウンド導体が、リセプタクルコネクタが装着された配線基板におけるグラウンド接続部に、プラグコネクタ及びリセプタクルコネクタを介して接続される。
【０００５】
このようなリセプタクルコネクタにおいて、導電性シェルは、プラグコネクタに接続された複数の同軸ケーブルの夫々におけるグラウンド導体を、例えば、プラグ側導電性シェルを介して、配線基板におけるグラウンド電位部に連結する役割を果たし、そのため、導電性シェルは、通常、絶縁ハウジングが形成する嵌合凹部が伸びる方向（複数のシグナルコンタクトの配列方向）の両端部が、それに設けられたグラウンド接続端子部を介して配線基板におけるグラウンド電位部に含まれるグラウンド接続部に接続される。このように、導電性シェルにおける嵌合凹部が伸びる方向の両端部がグラウンド接続端子部を介して配線基板におけるグラウンド接続部に接続されるのは、リセプタクルコネクタにおいて嵌合凹部に沿って配列配置された複数のシグナルコンタクトの夫々の配線基板に設けられた複数のシグナル端子部との接続に支障を及ぼさないようにするためである。
【０００６】
しかしながら、導電性シェルにおける嵌合凹部が伸びる方向の両端部が配線基板におけるグラウンド接続部に接続されたもとにあっては、導電性シェルにおける嵌合凹部が伸びる方向の両端部の間において、グラウンド接続部からの距離が比較的大となる部分が生じ、斯かる部分に同軸ケーブルにより伝送される高周波シグナルが作用するとグラウンド接続部との間に微細な電位差が現れることになって、同軸ケーブルのシグナル導体に連結されるシグナルコンタクトに対する良好なグラウンド特性が得られなくなってしまう虞がある。そこで、導電性シェルにその両端部以外の部分にもグラウンド接続端子部を設けることが考えられるが、リセプタクルコネクタのより一層の小型化や薄型化が図られるもとにあっては、導電性シェルに設けられるグラウンド接続端子部は、その配置位置や個数についての厳しい制約を受けることになり、導電性シェルの両端部以外の部分に設けられることが困難とされてしまう。
【０００７】
それゆえ、複数のコンタクトが配列配置された絶縁ハウジングの外面を部分的に覆う導電性シェルを有したリセプタクルコネクタであって、その導電性について、複数のコンタクトの配列方向の両端部だけでなく、両端部の間における複数箇所も、絶縁ハウジングが配された配線基板におけるグラウンド電位部に接続されることになる工夫が施されたものも、従来提案されている（例えば、特許文献１参照。）。
【０００８】
上述の特許文献１に開示されている、従来提案されたリセプタクルコネクタ（11) にあっては、絶縁ハウジング(12)にその長手方向に沿って配列配置されて設けられた複数のターミナル（コンタクト）(13)のうちの幾つかが、プリンント基板（配線基板）のグランド回路（グラウンド電位部）に接続されるグランドターミナル（グラウンドコンタクト）とされる。そして、絶縁ハウジング(12)の外面を部分的に覆うシールド（導電性シェル）(14)における各々がグランドターミナルに対応する箇所に、リード片（19) が形成されており、これらのリード片（19) が、グランドターミナルとされたターミナル(13)に弾接係合（弾性力を伴った接触係合）し、それにより、シールド(14)がリード片（19) を介してグランドターミナルとされたターミナル(13)に電気的に導通される。その結果、シールド(14)における複数のターミナル(13)の配列方向の両端部の間の部分が、グランドターミナルとされたターミナル(13)を介して、プリンント基板のグランド回路に接続されることになる。
【先行技術文献】
【特許文献】
【０００９】
【特許文献１】特開平９−２３７６５６号公報（第３頁、図２）
【発明の概要】
【発明が解決しようとする課題】
【００１０】
上述の特許文献１に示されるような、導電性シェルにおける複数のコンタクトの配列方向の両端部の間の部分が、導電性シェルに形成されたリード片が弾性力を伴って接触係合するグランドコンタクトを介して、配線基板におけるグラウンド電位部に接続される、従来提案されているリセプタクルコネクタにあっては、導電性シェルと配線基板におけるグラウンド電位部との接続状態が、導電性シェルに形成されたリード片とグランドコンタクトとの間の接触係合を介してとられるので、その確実性及び安定性がリード片のグランドコンタクトとの接触状況によって左右されてしまうという不都合がもたらされる。例えば、リード片とグランドコンタクトとの相互位置関係やリード片がグランドコンタクトに及ぼす弾性力の程度等に起因して、リード片のグランドコンタクトとの接触がグランドコンタクトに十分な押圧力を作用させることなく行われる場合、あるいは、リード片とグランドコンタクトとの間に微細な異物が介在するもとで行われる場合には、リード片とグランドコンタクトとの間の電気抵抗が増大せしめられて、導電性シェルと配線基板におけるグラウンド電位部との接続状態が、確実かつ安定に行われないことになってしまう。
【００１１】
即ち、導電性シェルにおける複数のコンタクトの配列方向の両端部の間の部分が、グランドコンタクトを介して、配線基板におけるグラウンド電位部に接続される、従来提案されているリセプタクルコネクタにあっては、導電性シェルの配線基板におけるグラウンド電位部との接続状態が確実性と安定性とに欠けるものとなる虞があることになる。
【００１２】
斯かる点に鑑み、本願の特許請求の範囲に記載された発明は、複数のシグナルコンタクト及びグラウンドコンタクトが配列配置されて配線基板上に配される絶縁ハウジングと、絶縁ハウジングの外面を部分的に覆う導電性シェルとを備え、複数のシグナルコンタクトが、絶縁ハウジングが配された配線基板に設けられた複数のシグナル端子部に夫々接続されるとともに、グラウンドコンタクトが、絶縁ハウジングが配された配線基板に設けられたグラウンド端子部に接続され、プラグコネクタが絶縁ハウジングが形成する嵌合係合部に嵌合連結されたとき、複数のシグナルコンタクトがプラグコネクタにおける複数のプラグ側シグナルコンタクトに夫々接触接続されて、リセプタクルコネクタとして機能するものであって、導電性シェルにおける複数のシグナルコンタクトの配列方向の両端部の間の部分が配線基板におけるグラウンド電位部に確実かつ安定に接続されるコネクタ装置を提供する。
【課題を解決するための手段】
【００１３】
本願の特許請求の範囲における請求項１から請求項４までのいずれかに記載された発明（以下、本発明という。）に係るコネクタ装置は、プラグコネクタとの嵌合連結が行われる所定の方向に伸びる嵌合係合部を形成するものとされて、配線基板上に配される絶縁ハウジングと、上述の所定の方向に沿って配列配置されて絶縁ハウジングにより保持され、配線基板に設けられた複数のシグナル端子部に夫々接続されたもとで、各々が嵌合係合部に配される接触部を有し、その接触部がプラグコネクタに配されたプラグ側シグナルコンタクトに接触するものとされる複数のシグナルコンタクトと、複数のシグナルコンタクトの配列中に配されて絶縁ハウジングにより保持され、配線基板に設けられたグラウンド端子部に接続される少なくとも一つのグラウンドコンタクトと、絶縁ハウジングにおける嵌合係合部の周囲部分の外面を部分的に覆い、配線基板におけるグラウンド端子部を含むグラウンド電位部に接続される導電性シェルとを備えて成り、導電性シェルが、上述の所定の方向の両端部間において配線基板に向かって突出するものとして形成され、グラウンドコンタクトと共に配線基板に設けられたグラウンド端子部に半田付けによって接続されるグラウンド接続片部を有し、そのグラウンド接続片部が、先端部分が二股に分かれたものとされていて、その先端部分をもってグラウンドコンタクトに係合することを特徴とするものとされる。
【００１４】
上述のように構成される本発明に係るコネクタ装置にあっては、配線基板に設けられたグラウンド端子部に接続される少なくとも一つのグラウンドコンタクトが、複数のシグナルコンタクトの配列中に配されて絶縁ハウジングに設けられたもとで、絶縁ハウジングにおける嵌合係合部の周囲部分の外面を部分的に覆う導電性シェルが、複数のシグナルコンタクトの配列方向の両端部間において配線基板に向かって突出するものとして形成されたグラウンド接続片部を有し、そのグラウンド接続片部が、先端部分が二股に分かれたものとされていて、その先端部分をもってグラウンドコンタクトに係合し、グラウンドコンタクトと共に、配線基板においてグラウンド電位部に含まれるものとして設けられたグラウンド端子部に半田付けによって接続される。それにより、導電性シェルは、例えば、複数のシグナルコンタクトの配列方向の両端部が配線基板におけるグラウンド電位部に接続されたもとで、それに加えて、斯かる両端部の間に位置する部分も、配線基板におけるグラウンド電位部に含まれるグラウンド端子部に、グラウンドコンタクトと共に接続される。
【００１５】
グラウンドコンタクトは、例えば、複数のシグナルコンタクトの配列の中央部分に配されたもの、あるいは、その複数個が複数のシグナルコンタクトの配列中に所定の間隔をおいて配されたものとされる。そして、それに伴い、導電性シェルに形成されたグラウンド接続片部が、例えば、導電性シェルにおける複数のシグナルコンタクトの配列方向の両端部間の中央部分に形成されたもの、あるいは、その複数個が導電性シェルにおける複数のシグナルコンタクトの配列方向の両端部間において所定の間隔をおいて形成されたものとされる。
【発明の効果】
【００１６】
上述のような本発明に係るコネクタ装置にあっては、絶縁ハウジングにおける嵌合係合部の周囲部分の外面を部分的に覆う導電性シェルが、複数のシグナルコンタクトの配列方向の両端部間に、グラウンドコンタクトと共に配線基板におけるグラウンド電位部に含まれるグラウンド端子部に半田付けによって接続されるグラウンド接続片部が、先端部分が二股に分かれていて、その先端部分をもってグラウンドコンタクトに係合するものとして形成されたものとされ、それにより、複数のシグナルコンタクトの配列方向の両端部間の部分にグラウンド電位が与えられるものとされる。従って、本発明に係るコネクタ装置によれば、導電性シェルを、例えば、複数のシグナルコンタクトの配列方向の両端部が配線基板におけるグラウンド電位部に接続され、それに加えて、斯かる両端部の間に位置する部分も、配線基板におけるグラウンド電位部に含まれるグラウンド端子部に接続されたものとして、複数のシグナルコンタクトの配列方向の両端部とそれらの間の部分とにおいて、グラウンド電位が与えられるものとすることができる。その結果、導電性シェルは、複数のシグナルコンタクトに対する優れたグラウンド特性を呈するものとなる。
【００１７】
また、本発明に係るコネクタ装置にあっては、導電性シェルにおける複数のシグナルコンタクトの配列方向の両端部の間の部分が配線基板におけるグラウンド電位部に接続される状態が、導電性シェルにおける複数のシグナルコンタクトの配列方向の両端部間に形成されたグラウンド接続片部が、グラウンドコンタクトと共に配線基板におけるグラウンド電位部に含まれるグラウンド端子部に半田付けされることにより得られるので、例えば、コネクタ装置のより一層の小型化や薄型化が図られて、導電性シェルに設けられるグラウンド接続用の端子部が配置位置や個数についての厳しい制約を受けるもとにあっても、導電性シェルにおける複数のシグナルコンタクトの配列方向の両端部の間の部分が配線基板におけるグラウンド電位部に確実かつ安定に接続されることになる。
【００１８】
さらに、本発明に係るコネクタ装置にあっては、グラウンドコンタクト及びグラウンド接続片部は、複数のシグナルコンタクトの配列方向における配置位置について格別の制約を受けるものではないので、配線基板におけるグラウンド電位部に含まれるグラウンド端子部の位置に応じた任意の部分を、配線基板におけるグラウンド電位部との接続部分とすることができる。
【図面の簡単な説明】
【００１９】
【図１】本発明に係るコネクタ装置の一例を示す上方から見た斜視図である。
【図２】図１における二点鎖線枠Ａ内を拡大して示す部分斜視図である。
【図３】本発明に係るコネクタ装置の一例が備える導電性シェルを示す上方から見た斜視図である。
【図４】図３における二点鎖線枠Ｂ内を拡大して示す部分斜視図である。
【図５】本発明に係るコネクタ装置の一例が備える絶縁ハウジングを示す上方から見た斜視図である。
【図６】図５における二点鎖線枠Ｃ内を拡大して示す部分斜視図である。
【図７】本発明に係るコネクタ装置の一例に嵌合連結されるプラグコネクタの一例をそれに接続された同軸ケーブルと共に示す上方から見た斜視図である。
【図８】本発明に係るコネクタ装置の一例に同軸ケーブルが接続されたプラグコネクタの一例が嵌合連結された状態を示す上方から見た斜視図である。
【図９】本発明に係るコネクタ装置の一例に同軸ケーブルが接続されたプラグコネクタの一例が嵌合連結された状態を示す正面図である。
【図１０】図９における二点鎖線枠Ｄ内を拡大して示す部分拡大図である。
【図１１】本発明に係るコネクタ装置の一例に同軸ケーブルが接続されたプラグコネクタの一例が嵌合連結された状態を示す断面図である。
【発明を実施するための形態】
【００２０】
本発明を実施するための形態は、以下に述べられる本発明についての実施例をもって説明される。
【実施例】
【００２１】
図１は、本発明に係るコネクタ装置の一例を示す。
【００２２】
図１において、本発明に係るコネクタ装置の一例を成すコネクタ装置１０は、配線基板（図示省略）に装着されて当該配線基板に設けられた電気回路構成部との電気的接続がなされたもとで、例えば、複数の同軸ケーブルが接続されたプラグコネクタが嵌合連結される、リセプタクルコネクタとして用いられるものとされている。
【００２３】
コネクタ装置１０は、合成樹脂等の絶縁材料によって形成された絶縁ハウジング１１、及び、外部に対するシールド作用等をもたらすべく絶縁ハウジング１１に配された金属製の導電性シェル１３を備えている。絶縁ハウジング１１は、コネクタ装置１０に嵌合連結されるプラグコネクタにおけるプラグ側絶縁ハウジングが形成する嵌合凸部が嵌合挿入される、絶縁ハウジング１１の長手方向（以下、ハウジング長手方向という）に伸びる嵌合凹部１４を形成していて、コネクタ装置１０が装着された配線基板（以下、コネクタ装着配線基板という）上に配されている。導電性シェル１３は、絶縁ハウジング１１における嵌合凹部１４の周囲部分の外面を部分的に覆うものとされており、コネクタ装着配線基板におけるグラウンド電位部を成すグラウンド接続部１５に半田付けにより接続されるグラウンド接続端子部１６が設けられている。
【００２４】
絶縁ハウジング１１における嵌合凹部１４を形成する部分、即ち、嵌合凹部形成部分には、プラグコネクタにおける複数のプラグ側シグナルコンタクトにおける接触部が夫々接触することになる複数のシグナルコンタクト１７が、嵌合凹部１４に沿って、従って、ハウジング長手方向に沿って配列配置されている。さらに、絶縁ハウジング１１の嵌合凹部形成部分には、コネクタ装着配線基板からのグラウンド電位が与えられるグラウンドコンタクト１８も、ハウジング長手方向に沿って配列配置された複数のシグナルコンタクト１７の配列の中央部分に配されている。それにより、複数のシグナルコンタクト１７と１個のグラウンドコンタクト１８とが、グラウンドコンタクト１８を中央としたハウジング長手方向に沿う配列配置を形成する状態をもって、絶縁ハウジング１１により保持されていることになる。
【００２５】
図１における二点鎖線枠Ａ内を拡大図示する図２にも示されるように、複数のシグナルコンタクト１７の夫々は、コネクタ装着配線基板に設けられた電気回路構成部におけるシグナル端子部１９に半田付けによって接続される接続端子部１７ａを有している。また、グラウンドコンタクト１８は、コネクタ装着配線基板に設けられた電気回路構成部におけるグラウンド端子部２０に半田付けによって接続される接続端子部１８ａを有している。コネクタ装着配線基板に設けられたグラウンド端子部２０は、グラウンド接続部１５と共にコネクタ装着配線基板におけるグラウンド電位部に含まれるものとされている。
【００２６】
上述の図１に示されるコネクタ装置１０にあっては、１個のグラウンドコンタクト１８が、複数のシグナルコンタクト１７の配列の中央部分に配されているが、１個のグラウンドコンタクト１８に代えて、複数個のグラウンドコンタクトが複数のシグナルコンタクト１７の配列中に所定の間隔をおいて、例えば、所定数のシグナルコンタクト１７おきに配されるようにされてもよい。その際には、コネクタ装着配線基板に設けられるグラウンド端子部も、複数のグラウンドコンタクトの数に応じた複数個を数えるものとされる。
【００２７】
導電性シェル１３は、例えば、金属板部材に打抜き屈曲加工が施されて形成され、導電性シェル１３を単体で示す図３に示されるように、絶縁ハウジング１１に組み付けられたときハウジング長手方向に嵌合凹部形成部分に沿って伸びることになる帯状部２１を有している。そして、導電性シェル１３の帯状部２１を挟む両端部の夫々には、前述のグラウンド接続端子部１６に加えて、プラグコネクタが備えるプラグ側導電性シェルに設けられた複数のプラグ側シェル接続部が夫々接触接続されるものとされる複数のシェル接続部２２が設けられている。
【００２８】
導電性シェル１３における帯状部２１の両端部の夫々に設けられたグラウンド接続端子部１６がコネクタ装着配線基板におけるグラウンド接続部１５に半田付けにより接続されたときには、導電性シェル１３における帯状部２１に、コネクタ装着配線基板からのグラウンド電位がグラウンド接続端子部１６を通じて与えられる。斯かるもとで、プラグコネクタが備えるプラグ側導電性シェルに設けられた複数のプラグ側シェル接続部が複数のシェル接続部２２に夫々接触接続されると、プラグ側導電性シェルにもグラウンド電位がシェル接続部２２を通じて与えられる。
【００２９】
そして、導電性シェル１３は、その帯状部２１における一対の相互対向側縁部の一方であって、導電性シェル１３が絶縁ハウジング１１に組み付けられたときコネクタ装着配線基板に対向することになる側縁部２１Ａに、帯状部２１の両端部間における部位、例えば、帯状部２１の両端部間における中央部分となる部位において、コネクタ装着配線基板に向かって突出するものとして形成されたグラウンド接続片部２３を有している。図３における二点鎖線枠Ｂの内部を拡大図示する図４にも示されるように、グラウンド接続片部２３は、その先端部分が二股に分かれたものとされている。
【００３０】
導電性シェル１３が有するグラウンド接続片部２３は、導電性シェル１３が絶縁ハウジング１１に組み付けられたとき、導電性シェル１３におけるハウジング長手方向の両端部間における、絶縁ハウジング１１により保持されたグラウンドコンタクト１８に対応する部位から、コネクタ装着配線基板に向かって突出し、図２にも示されるように、グラウンドコンタクト１８の接続端子部１８ａと共に、コネクタ装着配線基板に設けられたグラウンド端子部２０に接続される。その際、グラウンド接続片部２３は、二股に分かれた先端部分をもってグラウンドコンタクト１８の接続端子部１８ａに係合し、また、その先端面をコネクタ装着配線基板に設けられたグラウンド端子部２０に当接または近接させる。そして、導電性シェル１３が有するグラウンド接続片部２３のコネクタ装着配線基板に設けられたグラウンド端子部２０との接続は、半田付けによって堅固に行われる。
【００３１】
このようにして、絶縁ハウジング１１に組み付けられた導電性シェル１３が有するグラウンド接続片部２３が、コネクタ装着配線基板に設けられたグラウンド端子部２０に半田付けによって接続されることにより、導電性シェル１３は、そのハウジング長手方向の両端部間における、絶縁ハウジング１１により保持されたグラウンドコンタクト１８に対応する部位からも、コネクタ装着配線基板からのグラウンド電位がグラウンド接続片部２３を通じて与えられる。
【００３２】
絶縁ハウジング１１を単体で示す図５に示されるように、絶縁ハウジング１１には、その嵌合凹部形成部分に、複数のシグナルコンタクト１７を夫々収容して保持する溝部２５とグラウンドコンタクト１８を収容して保持する溝部２６とが、ハウジング長手方向に沿って配列配置されたものとして形成されている。また、絶縁ハウジング１１における、複数のシグナルコンタクト１７の夫々の接続端子部１７ａ及びグラウンドコンタクト１８の接続端子部１８ａが絶縁ハウジング１１外に導出される端面部１１ａには、図５における二点鎖線枠Ｃ内を拡大図示する図６にも示されるように、複数の接続端子部１７ａを夫々収容する切欠き部２７と接続端子部１８ａを収容する切欠き部２８とが、端面部１１ａにおけるコネクタ装着配線基板に対接する部分に開口するものとして、ハウジング長手方向に沿って配列配置されたものとして形成されている。
【００３３】
斯かる図５に示される絶縁ハウジング１１に、それにより複数のシグナルコンタクト１７とグラウンドコンタクト１８とが保持されたもとで、図３に示される導電性シェル１３が組み付けられると、絶縁ハウジング１１における、複数のシグナルコンタクト１７の夫々の接続端子部１７ａを収容する切欠き部２７とグラウンドコンタクト１８の接続端子部１８ａを収容する切欠き部２８が形成された端面部１１ａが、そのうちの切欠き部２７及び２８の夫々が開口するコネクタ装着配線基板に対接する部分を除いて、その外面が導電性シェル１３により覆われたものとされ、図１に示されるコネクタ装置が得られる。
【００３４】
図７は、上述のコネクタ装置１０に嵌合連結されるプラグコネクタの一例を成すプラグコネクタ３０をそれに接続された複数の同軸ケーブル３１と共に示す。
【００３５】
図７において、プラグコネクタ３０は、合成樹脂等の絶縁材料によって形成されたプラグ側絶縁ハウジング３２、及び、外部に対するシールド作用等をもたらすべくプラグ側絶縁ハウジング３２に配された金属製のプラグ側導電性シェル３３を備えている。プラグ側導電性シェル３３は、プラグ側絶縁ハウジング３２の上面側の外面を略全体的に覆うものとされている。
【００３６】
プラグ側絶縁ハウジング３２は、コネクタ装着配線基板に装着されたリセプタクルコネクタとして用いられるコネクタ装置１０に設けられた嵌合凹部１４に挿入されるべく、プラグ側絶縁ハウジング３２の長手方向に伸びる嵌合凸部３４（図１１）を形成している。嵌合凸部３４は、プラグ側絶縁ハウジング３２からその外方に突出するものとして形成され、嵌合凸部３４の長手方向（プラグ側絶縁ハウジング３２の長手方向）に伸びる、当該長手方向に直交する方向において相互対向する一対の対向側壁面部を有している。
【００３７】
プラグ側絶縁ハウジング３２には、夫々がプラグ側絶縁ハウジング３２の長手方向に沿って配列配置される複数のプラグ側シグナルコンタクト３５（図１１）が設けられている。複数のプラグ側シグナルコンタクト３５の夫々は、プラグ側絶縁ハウジング３２が形成する嵌合凸部３４における一対の対向側壁面部の一方に、その外面に露出するものとして配される部分を有している。
【００３８】
複数のプラグ側シグナルコンタクト３５の夫々が有する、嵌合凸部３４における一対の対向側壁面部の一方の外面に露出するものとして配される部分は、コネクタ装置１０の嵌合凹部形成部に配列配置されて設けられた複数のシグナルコンタクト１７及びグラウンドコンタクト１８のうちの対応するものに接触する接触部とされている。従って、複数のプラグ側シグナルコンタクト３５が夫々有する複数の接触部が、嵌合凸部３４における一対の対向側壁面部の一方にハウジング長手方向に沿って配列配置されていることになる。
【００３９】
このようなプラグコネクタ３０にあっては、複数の同軸ケーブル３１が接続される。これらの同軸ケーブル３１は、プラグ側絶縁ハウジング３２の長手方向に並べられて全体として板状体を成すものとされる。
【００４０】
複数の同軸ケーブル３１の夫々は、そのシグナル導体が、複数のプラグ側シグナルコンタクト３５のうちの対応するものに接続され、また、そのグラウンド導体が、複数の同軸ケーブルに対して共通に設けられたグラウンド連結部材を介して、プラグ側導電性シェル３３に連結される。なお、複数のプラグ側シグナルコンタクト３５のうちの、それらの配列の中央部分に配されて、その接触部がコネクタ装置１０の嵌合凹部形成部に設けられたグラウンドコンタクト１８に接触することになるものは、それに同軸ケーブル３１のシグナル導体が接続されることなく、空きコンタクトとされている。
【００４１】
前述のコネクタ装置１０に、複数の同軸ケーブル３１が接続されたプラグコネクタ３０が嵌合連結されるときには、プラグコネクタ３０のプラグ側絶縁ハウジング３２が形成する嵌合凸部３４が、コネクタ装置１０の絶縁ハウジング１１が形成する嵌合凹部１４に嵌合挿入される。このように嵌合凸部３４が嵌合挿入される嵌合凹部１４は、コネクタ装置１０においてプラグコネクタ３０との嵌合連結が行われる嵌合係合部を形成している。
【００４２】
図８（上方から見た斜視図）及び図９（正面図）は、複数の同軸ケーブル３１が接続されたプラグコネクタ３０が、コネクタ装置１０に嵌合連結された状態を示す。そして、図９における二点鎖線枠Ｄ内が、図１０において拡大図示されている。なお、図９及び図１０においては、構成を分かり易くすべく、コネクタ装着配線基板が仮想線をもって示されている。
【００４３】
図１０においては、コネクタ装置１０の導電性シェル１３における帯状部２１の側縁部２１Ａからコネクタ装着配線基板に向かって突出するグラウンド接続片部２３が、その二股に分かれた先端部分をもってグラウンドコンタクト１８の接続端子部１８ａに係合するとともに、その先端面２３ａをコネクタ装着配線基板に設けられたグラウンド端子部２０に当接または近接させた状態が明瞭に示されている。グラウンド接続片部２３がグラウンドコンタクト１８の接続端子部１８ａと共にコネクタ装着配線基板に設けられたグラウンド端子部２０に半田付けによって接続される際には、グラウンド端子部２０に当接または近接するグラウンド接続片部２３の先端面２３ａの周囲に溶融半田が密着せしめられるとともに、グラウンド接続片部２３における二股部分の内面とグラウンドコンタクト１８の接続端子部１８ａの外面との間の間隙に溶融半田が毛細管現象によって入り込み、その後、溶融半田が固まる。それにより、グラウンド接続片部２３が、グラウンドコンタクト１８の接続端子部１８ａと共に、コネクタ装着配線基板に半田付けによって堅固に接続される状態が得られる。
【００４４】
複数の同軸ケーブル３１が接続されたプラグコネクタ３０がコネクタ装置１０に嵌合連結された状態のもとにあっては、図１１に示されるように、プラグコネクタ３０において、複数の同軸ケーブル３１の夫々のシグナル導体４１が、複数のプラグ側シグナルコンタクト３５のうちの対応するものに接続された状態におかれる。なお、図１１においてその断面が示されているプラグ側シグナルコンタクト３５は、それに同軸ケーブル３１のシグナル導体４１が接続されていず、空きコンタクトとされている。
【００４５】
また、複数の同軸ケーブル３１の各々のグラウンド導体４２が、それらに対して共通に設けられた、複数の同軸ケーブル３１の配列方向に伸びる一対のグラウンド連結部材４３により挟持されて電気的に連結された状態におかれる。これらの一対のグラウンド連結部材４３の夫々は、プラグコネクタ３０が備えるプラグ側導電性シェル３３との電気的接続がなされており、それにより、複数の同軸ケーブル３１の夫々のグラウンド導体４２が、一対のグラウンド連結部材４３を介して、プラグ側導電性シェル３３に連結されていることになる。
【００４６】
図１１に示されるように、コネクタ装置１０に嵌合連結されたプラグコネクタ３０は、それにおける複数のプラグ側シグナルコンタクト３５のうちの空きコンタクトとされたものの接触部が、コネクタ装置１０におけるグラウンドコンタクト１８に接触接続され、また、複数のプラグ側シグナルコンタクト３５のうちの他のものの夫々の接触部が、コネクタ装置１０における複数のシグナルコンタクト１７のうちの対応するものに接触接続される。さらに、プラグコネクタ３０が備えるプラグ側導電性シェル３３が、コネクタ装置１０における導電性シェル１３に形成された複数のシェル接続部２２に接触接続されて、導電性シェル１３に複数のシェル接続部２２を介して電気的に連通せしめられる。
【００４７】
コネクタ装置１０にあっては、前述のように、コネクタ装置１０の導電性シェル１３における帯状部２１の側縁部２１Ａからコネクタ装着配線基板に向かって突出するグラウンド接続片部２３が、その二股に分かれた先端部分をもってグラウンドコンタクト１８の接続端子部１８ａに係合し、グラウンドコンタクト１８と共にコネクタ装着配線基板に設けられたグラウンド端子部２０に半田付けにより接続されている。
【００４８】
従って、プラグコネクタ３０における複数のプラグ側シグナルコンタクト３５のうちの空きコンタクトとされたものに、グラウンドコンタクト１８を通じて、グラウンド電位が与えられるとともに、プラグコネクタ３０に接続された複数の同軸ケーブル３１の夫々のグラウンド導体４２が、プラグコネクタ３０が備えるプラグ側導電性シェル３３及びコネクタ装置１０が備えるグラウンド接続片部２３を有する導電性シェル１３を介して、コネクタ装着配線基板に設けられたグラウンド端子部２０に連結される。そして、斯かるもとで、プラグコネクタ３０に接続された複数の同軸ケーブル３１の夫々のシグナル導体４１を通じて伝送されたシグナルが、さらに、プラグコネクタ３０におけるプラグ側シグナルコンタクト３５及びコネクタ装置１０におけるシグナルコンタクト１７を通じて、コネクタ装着配線基板に設けられたシグナル端子部１９へと伝送される。従って、コネクタ装置１０にあっては、その導電性シェル１３が、それにおけるハウジング長手方向の両端部間に形成されたグラウンド接続片部２３を通じてコネクタ装着配線基板に設けられたグラウンド端子部２０に接続されることにより、ハウジング長手方向に配列配置された複数のシグナルコンタクト１７に対する優れたグラウンド特性が得られることになる。
【００４９】
上述のような本発明に係るコネクタ装置の一例を成すコネクタ装置１０にあっては、絶縁ハウジング１１における嵌合凹部１４の周囲部分の外面を部分的に覆う導電性シェル１３が、複数のシグナルコンタクト１７の配列方向とされるハウジング長手方向の両端部間に、グラウンドコンタクト１８と共にコネクタ装着配線基板におけるグラウンド電位部に含まれるグラウンド端子部２０に半田付けによって接続されるグラウンド接続片部２３が形成されたものとされ、それにより、ハウジング長手方向の両端部間の部分にグラウンド電位が与えられるものとされる。従って、コネクタ装置１０によれば、導電性シェル１３を、例えば、ハウジング長手方向の両端部がコネクタ装着配線基板におけるグラウンド電位部に接続され、それに加えて、斯かる両端部の間に位置する部分も、コネクタ装着配線基板におけるグラウンド電位部に含まれるグラウンド端子部２０に接続されたものとして、ハウジング長手方向の両端部とそれらの間の部分とにおいて、グラウンド電位が与えられるものとすることができる。その結果、導電性シェル１３は、複数のシグナルコンタクト１７に対する優れたグラウンド特性を呈するものとなる。
【００５０】
また、コネクタ装置１０にあっては、導電性シェル１３におけるハウジング長手方向の両端部の間の部分がコネクタ装着配線基板におけるグラウンド電位部に接続される状態が、導電性シェル１３におけるハウジング長手方向の両端部間に形成されたグラウンド接続片部２３が、グラウンドコンタクト１８と共にコネクタ装着配線基板におけるグラウンド電位部に含まれるグラウンド端子部２０に半田付けされることにより得られるので、例えば、コネクタ装置１０のより一層の小型化や薄型化が図られて、導電性シェル１３に設けられるグラウンド接続用の端子部が配置位置や個数についての厳しい制約を受けるもとにあっても、導電性シェル１３におけるハウジング長手方向の両端部の間の部分がコネクタ装着配線基板におけるグラウンド電位部に確実かつ安定に接続されることになる。
【００５１】
さらに、コネクタ装置１０にあっては、グラウンドコンタクト１８及びグラウンド接続片部２３は、ハウジング長手方向における配置位置について格別の制約を受けるものではないので、コネクタ装着配線基板におけるグラウンド電位部に含まれるグラウンド端子部２０の位置に応じた任意の部分を、コネクタ装着配線基板におけるグラウンド電位部との接続部分とすることができる。
【産業上の利用可能性】
【００５２】
以上のような本発明に係るコネクタ装置は、例えば、配線基板に取り付けられて、プラグコネクタが嵌合連結される、リセプタクルコネクタとして用いることができるコネクタ装置であって、導電性シェルにおける複数のシグナルコンタクトの配列方向の両端部の間の部分が配線基板におけるグラウンド電位部に確実かつ安定に接続されることになるものとして、様々な電子機器等に広く適用され得るものである。
【符号の説明】
【００５３】
１０・・・コネクタ装置，  １１・・・絶縁ハウジング，  １３・・・導電性シェル，  １４・・・嵌合凹部，  １５・・・グラウンド接続部，  １６・・・グラウンド接続端子部，  １７・・・シグナルコンタクト，  １７ａ，１８ａ・・・接続端子部，  １８・・・グラウンドコンタクト，  １９・・・シグナル端子部，  ２０・・・グラウンド端子部，  ２１・・・帯状部，  ２２・・シェル接続部，  ２３・・・グラウンド接続片部，  ２５，２６・・・溝部，  ２７，２８・・・切欠き部．  ３０・・・プラグコネクタ，  ３１・・・同軸ケーブル，  ３２・・・プラグ側絶縁ハウジング，  ３３・・・プラグ側導電性シェル，  ３４・・・嵌合凸部，  ３５・・・プラグ側シグナルコンタクト，  ４１・・・シグナル導体，  ４２・・・グラウンド導体，  ４３・・・グラウンド連結部材
【図１】
0005787081.tif 000002
【図２】
0005787081.tif 000003
【図３】
0005787081.tif 000004
【図４】
0005787081.tif 000005
【図５】
0005787081.tif 000006
【図６】
0005787081.tif 000007
【図７】
0005787081.tif 000008
【図８】
0005787081.tif 000009
【図９】
0005787081.tif 000010
【図１０】
0005787081.tif 000011
【図１１】
0005787081.tif 000012